(57)【要約】【課題】  貯留された水を効率良く利用して表面を冷却し、かつ、供給された水が多い場合に、水を溢れることを低減して、適度に排水を行うことを、両立して行うことが可能な貯水構造体を提供する。【解決手段】  水が透過しにくい不透水層３と、不透水層の上に配置されており、液体を保持可能な保水層２と、保水層の上に配置されており、舗装材料を用いた構造物で構成されている舗装層１と、不透水層を貫通するように不透水層の下面から延びて、上面が不透水層の下面より上でかつ舗装層の上面より下の位置に配置されており、水浸入圧が不透水層より低い土壌で構成されている排水機能部４と、排水機能部の全周囲を覆いかつ不透水層又は疎水性粒子で構成されている側壁部６とを備え、不透水層の水浸入圧と、排水機能部の水浸入圧との差は、不透水層の上面の高さと、排水機能部の上面の高さの差よりも大きい貯水構造体を提供する。【選択図】図１
2014152469.tif 000002
【特許請求の範囲】
【請求項１】
水が透過しにくい不透水層と、
前記不透水層の上に配置されており、液体を保持可能な保水層と、
前記保水層の上に配置されており、舗装材料を用いた構造物で構成されている舗装層と、
前記不透水層を貫通するように前記不透水層の下面から延びて、上面が前記不透水層の下面より上でかつ前記舗装層の上面より下の位置に配置されており、水浸入圧が前記不透水層より低い土壌で構成されている排水機能部と、
前記排水機能部の全周囲を覆いかつ前記不透水層又は疎水性粒子で構成されている側壁部とを備え、
前記不透水層の水浸入圧と、前記排水機能部の水浸入圧との差は、前記不透水層の上面の高さと、前記排水機能部の上面の高さの差よりも大きい貯水構造体。
【請求項２】
前記排水機能部は、その一部又は全部が、水が浸透しない疎水性粒子で構成されている、請求項１に記載の貯水構造体。
【請求項３】
前記排水機能部の前記上面は、前記保水層の上面より上でかつ前記舗装層の上面より下の位置に配置されている、請求項１又は２に記載の貯水構造体。
【請求項４】
前記排水機能部の前記上面は、前記保水層内に配置されている、請求項１又は２に記載の貯水構造体。
【請求項５】
前記排水機能部の前記上面は、前記保水層の上面と同じ位置に配置されている、請求項１又は２に記載の貯水構造体。
【請求項６】
前記不透水層は撥水シートで構成されている、請求項１〜５のいずれか１つに記載の貯水構造体。
【発明の詳細な説明】
【技術分野】
【０００１】
本発明は、その内部に水を貯める貯水構造体に関する。
【背景技術】
【０００２】
近年、ヒートアイランド現象の抑制を目的に、道路、歩道、又はビルの屋上の地表温度を抑制する機能を有する舗装構造が提案されている。特許文献１（特開２００６−２９１７０６号公報）では、舗装面の高温化を防止可能な透水性ブロック及び透水性舗装を提案している。図１２は特許文献１の透水性ブロックの構造を示す。透水性ブロックは、透水性材料で多孔質な形状で形成された透水体５１の中に、水を貯留する貯留容器５２が埋設されている。雨水などは透水体５１を経て貯留容器５２に保持され、保持された水によりブロック表面を湿潤に保つことで、高温化を防止する。
【先行技術文献】
【特許文献】
【０００３】
【特許文献１】特許第４１７８５２５号公報
【発明の概要】
【発明が解決しようとする課題】
【０００４】
特許文献１の構成は、一旦、雨水は貯留容器に保持され、保持された水がブロック内の熱を奪って蒸気となることで、周辺温度を下げることが可能となる。しかしながら、水分の気化は、基本的には、ブロック内に埋め込まれた貯留容器内の水表面で行われるため、貯留容器から地表面までの距離が深い場合には、地表面付近での冷却効率が悪い。これを解決するために、ブロックの高さを浅くして貯留容器を表面近くに設定すると、表面が湿潤に保たれるトレードオフとして、排水性が落ちる。このため、大雨が降った際など、過剰な水が供給された場合に、舗装表面から水が溢れ出す問題が生じる。
【０００５】
このように、特許文献１は、貯留された限られた水を効率良く利用して表面を冷却し、かつ、供給された水が多い場合に、水を溢れることを低減して、適度に排水を行うことを、両立して行うことが困難な構造になっている。
【０００６】
従って、本発明の目的は、前記問題を解決することにあって、貯留された水を効率良く利用して表面を冷却し、かつ、供給された水が多い場合に、水を溢れることを低減して、適度に排水を行うことを、両立して行うことが可能な貯水構造体を提供することにある。
【課題を解決するための手段】
【０００７】
本発明の１つの態様である貯水構造体は、水が透過しにくい不透水層と、
前記不透水層の上に配置されており、液体を保持可能な保水層と、
前記保水層の上に配置されており、舗装材料を用いた構造物で構成されている舗装層と、
前記不透水層を貫通するように前記不透水層の下面から延びて、上面が前記不透水層の下面より上でかつ前記舗装層の上面より下の位置に配置されており、水浸入圧が前記不透水層より低い土壌で構成されている排水機能部と、
前記排水機能部の全周囲を覆いかつ前記不透水層又は疎水性粒子で構成されている側壁部とを備え、
前記不透水層の水浸入圧と、前記排水機能部の水浸入圧との差は、前記不透水層の上面の高さと、前記排水機能部の上面の高さの差よりも大きい貯水構造体を提供する。
【発明の効果】
【０００８】
本発明の前記態様は、疎水性粒子で構成された排水機能部の上面を保水層の内部もしくは保水層の上面もしくは舗装層内部から不透水層の下面に至る間に配置することで、供給された水が少量の場合は、保水層さらに舗装層に水を保持する事が可能であり、かつ、供給水が過多な場合には、排水機能部から水を下に流すことにより、水が表層から溢れることを防止できる。よって、本貯水構造体は、供給される水量に応じて、効率良く安全に貯水が可能となる。
【図面の簡単な説明】
【０００９】
【図１】本発明の第１実施形態にかかる貯水構造体の縦断面図
【図２Ａ】本発明の第１実施形態の変形例にかかる貯水構造体の縦断面図
【図２Ｂ】本発明の第１実施形態の別の変形例にかかる貯水構造体の縦断面図
【図３Ａ】第１実施形態の貯水構造体の構築方法を説明するための縦断面図
【図３Ｂ】第１実施形態の貯水構造体の構築方法を説明するための縦断面図
【図３Ｃ】第１実施形態の貯水構造体の構築方法を説明するための縦断面図
【図３Ｄ】第１実施形態の貯水構造体の構築方法を説明するための縦断面図
【図３Ｅ】第１実施形態の貯水構造体の構築方法を説明するための縦断面図
【図３Ｆ】第１実施形態の貯水構造体の構築方法を説明するための縦断面図
【図４】混合砂（海砂）の混合率と水浸入圧との関係を示す表形式の図
【図５】第１実施形態にかかる貯水構造体を構築するときに使用する２つの筒状の型の斜視図
【図６Ａ】第１実施形態の貯水構造体の貯水動作を説明するための縦断面図
【図６Ｂ】第１実施形態の貯水構造体の貯水動作を説明するための縦断面図
【図６Ｃ】第１実施形態の貯水構造体の貯水動作を説明するための縦断面図
【図６Ｄ】第１実施形態の貯水構造体の貯水動作を説明するための縦断面図
【図６Ｅ】第１実施形態の貯水構造体の貯水動作を説明するための縦断面図
【図６Ｆ】第１実施形態の貯水構造体の貯水動作を説明するための縦断面図
【図７】乾燥後の水浸入圧の復元を示すため、水供給延べ回数と水浸入圧との関係を示す表形式の図
【図８Ａ】第１実施形態の貯水構造体の図２Ｂの変形例の構築方法を説明するための縦断面図
【図８Ｂ】第１実施形態の貯水構造体の図２Ｂの変形例の構築方法を説明するための縦断面図
【図８Ｃ】第１実施形態の貯水構造体の図２Ｂの変形例の構築方法を説明するための縦断面図
【図８Ｄ】第１実施形態の貯水構造体の図２Ｂの変形例の構築方法を説明するための縦断面図
【図８Ｅ】第１実施形態の貯水構造体の図２Ｂの変形例の構築方法を説明するための縦断面図
【図８Ｆ】第１実施形態の貯水構造体の図２Ｂの変形例の構築方法を説明するための縦断面図
【図９Ａ】第１実施形態の貯水構造体の図２Ａの変形例の構築方法を説明するための縦断面図
【図９Ｂ】第１実施形態の貯水構造体の図２Ａの変形例の構築方法を説明するための縦断面図
【図９Ｃ】第１実施形態の貯水構造体の図２Ａの変形例の構築方法を説明するための縦断面図
【図９Ｄ】第１実施形態の貯水構造体の図２Ａの変形例の構築方法を説明するための縦断面図
【図９Ｅ】第１実施形態の貯水構造体の図２Ａの変形例の構築方法を説明するための縦断面図
【図１０】本発明の第１実施形態のさらに別の変形例にかかる貯水構造体の縦断面図
【図１１】本発明の第１実施形態のさらに別の変形例にかかる貯水構造体の平面図
【図１２】従来例にかかる貯水構造体の縦断面図
【発明を実施するための形態】
【００１０】
以下に、本発明にかかる実施の形態を図面に基づいて詳細に説明する。
【００１１】
以下、図面を参照して本発明における実施形態を詳細に説明する前に、本発明の種々の態様について説明する。
【００１２】
本発明の第１態様によれば、水が透過しにくい不透水層と、
前記不透水層の上に配置されており、液体を保持可能な保水層と、
前記保水層の上に配置されており、舗装材料を用いた構造物で構成されている舗装層と、
前記不透水層を貫通するように前記不透水層の下面から延びて、上面が前記不透水層の下面より上でかつ前記舗装層の上面より下の位置に配置されており、水浸入圧が前記不透水層より低い土壌で構成されている排水機能部と、
前記排水機能部の全周囲を覆いかつ前記不透水層又は疎水性粒子で構成されている側壁部とを備え、
前記不透水層の水浸入圧と、前記排水機能部の水浸入圧との差は、前記不透水層の上面の高さと、前記排水機能部の上面の高さの差よりも大きい貯水構造体を提供する。
【００１３】
前記構成により、液体、例えば水は、不透水層の上面を底として、排水機能部の上面の高さにさらに排水機能部の水浸入圧の高さを加えた高さに至るまで貯水することが可能であり、かつ、その高さを超えた水が供給されると、水は、排水機能部の上面から、排水機能部を通って下に流れる。水が下に流れた場合は、水面が下がるが、排水機能部の上面に至るまでの水はそのまま保持される。
【００１４】
よって、本発明の前記態様は、疎水性粒子で構成された排水機能部の上面を、保水層の内部もしくは保水層の上面もしくは舗装層内部から不透水層の下面に至る間に配置することで、供給された水が少量の場合は、保水層さらに舗装層に水を保持する事が可能であり、かつ、供給水が過多な場合には、排水機能部から水を下に流すことにより、水が表層から溢れることを防止できる。よって、本貯水構造体は、供給される水量に応じて、効率良く安全に貯水が可能となる。
【００１５】
本発明の第２態様によれば、前記排水機能部は、その一部又は全部が、水が浸透しない疎水性粒子で構成されている、第１の態様に記載の貯水構造体を提供する。
【００１６】
前記態様によれば、第１態様に記載した効果に加え、疎水性粒子にて構成された排水機能部の水浸入圧の高さが親水性粒子に比べて高くなるため、より、多くの水を貯水することが可能となる。
【００１７】
本発明の第３態様によれば、前記排水機能部の前記上面は、前記保水層の上面より上でかつ前記舗装層の上面より下の位置に配置されている、第１又は２の態様に記載の貯水構造体を提供する。
【００１８】
前記態様によれば、排水機能部が決壊して液体が排水機能部から下に流れる状態になったとしても、排水機能部の側壁部と不透水層に囲まれた部分の水は保持されるため、舗装層が水に常時触れることになる。従って、舗装層の表面から常に蒸発が起こり、舗装層の冷却効果が高くなる。
【００１９】
本発明の第４態様によれば、前記排水機能部の前記上面は、前記保水層内に配置されている、第１又は２の態様に記載の貯水構造体を提供する。
【００２０】
前記態様によれば、例えば、雨量の少ない際には、なるべく保水層に水を保ちながら、雨量の多い際にも水が舗装層の表面から溢れにくくする事が可能になる。
【００２１】
本発明の第５態様によれば、前記排水機能部の前記上面は、前記保水層の上面と同じ位置に配置されている、第１又は２の態様に記載の貯水構造体を提供する。
【００２２】
前記態様によれば、舗装層から常に蒸発が起こる状態を保持しやすく、かつ、雨量の多い際に水が舗装層の表面から漏れにくくすることが可能となる。
【００２３】
本発明の第６態様によれば、前記不透水層は撥水シートで構成されている、第１〜５のいずれか１つの態様に記載の貯水構造体を提供する。
【００２４】
前記態様によれば、貯水構造体全体の厚さを小さくすることができ、かつ、不透水層を形成する手間が省略できる。
【００２５】
以下、図面を参照して本発明における第１実施形態を詳細に説明する。
（第１実施形態）
図１に、第１実施形態の貯水構造体１００の構成を示す。貯水構造体１００は、舗装層１と、保水層２と、不透水層３と、排水機能部の一例として機能する排水孔部４とを備える。
【００２６】
まず、本貯水構造体１００の構造について説明する。
【００２７】
貯水構造体１００は、現地（貯水構造体１００を形成すべき場所）の元々の土壌（現地土壌という）５の凹部５２内に形成されている。貯水構造体１００は、不透水層３と、円柱状の排水孔部４と、保水層２と、舗装層１とを備えて構成されている。不透水層３と保水層２と舗装層１とは、それぞれ層状に形成されている。以下、各部分を詳細に説明する。
【００２８】
＜舗装層１＞
舗装層１は、保水層２の上面全面及び排水孔部４の上端面を覆うように保水層２の上に形成されている。舗装層１は、外部空間に接する第１の面１ａと、保水層２に接する第２の面１ｂとを有する。
【００２９】
舗装層１は、微細な径を有し、かつ、第１の面１ａから第２の面１ｂまで貫通する多数の管（毛細管又は毛管）を有する。舗装層１の各管は、液体（例えば水）を第２の面１ｂ側から第１の面１ａに向かって移動させる機能を有する。舗装層１の各管は、いわゆる毛細管現象により液体を移動させる毛細管（毛管）である。  舗装層１の管の径（内径）は、舗装層１の厚み等に依存して、所定の範囲に含まれる大きさである必要がある。舗装層１の管の径は、
ｈ＝２Ｔｃｏｓθ／ρｇｒ  ．．．．．（式１）
により決まる。ｈは、管内での液体の液面上昇の高さ（ｍ）である。Ｔは液体の表面張力（Ｎ／ｍ）である。θは液体と管内の壁面との接触角である。ρは液体の密度（ｋｇ／ｍ３）である。ｒは管の内径（ｍ）である。舗装層１は、舗装層１の厚みより液面上昇の高さ（ｈ）が大きくなる管の径を有する。ｇは重力加速度である。つまり、舗装層１の管１ｃの内径ｒは、液面上昇の効果が舗装層１の厚みより大きくなるように、第１の水浸入圧（閾値）よりも小さい。また、舗装層１の管１ｃの内径ｒは、液体が通過できる程度の大きさより小さい第２の水浸入圧（閾値）よりも大きい。前記の所定の範囲は、第２の閾値よりも大きく、第１の閾値よりも小さい範囲を意味する。
【００３０】
つまり、舗装層１の管の径は、液面上昇の効果が舗装層１の厚みより大きくなるように、第１の閾値よりも小さい。また、舗装層１の管の径は、液体が通過できる程度の大きさより小さい第２の閾値よりも大きい。前記の所定の範囲は、第２の閾値よりも大きく、第１の閾値よりも小さい範囲を意味する。ここで、第１の閾値は、式１の液面上昇の高さｈに舗装層の高さを代入した場合の内径ｒの値に相当する。また、第２の閾値は、たとえば液体分子の直径よりも大きいとする。具体的な例としては、水分子の場合は、径が０．３８nmとなる。なお、式１も分子の直径も、液体の種類により変わる。
【００３１】
舗装層１が液体を第２の面１ｂ側から第１の面１ａに向かって移動させる機能を有することを確認する方法を説明する。湿潤している物体の上に、乾燥している舗装層１を配置する。所定時間経過後に、舗装層１の第１の面１ａが湿潤していれば、舗装層１が、液体を第２の面１ｂ側から第１の面１ａに向かって移動させる機能を有することが確認できる。
【００３２】
湿潤している物体の例は、後述する、液体を含んだ保水層２である。例えば、舗装層１の材料候補となる物質を、後述する、液体を含んだ保水層２の上に配置する。３０分経過後に、舗装層１の材料候補となる物質の上に、ティッシュペーパーを置く。ティッシュペーパーが濡れているのを確認できた場合には、舗装層１が、液体を第２の面１ｂ側から第１の面１ａに向かって移動させる機能を有することが確認できる。
【００３３】
舗装層１は、例えば、複数の粒子の集合体で構成される。舗装層１の各管の径は、粒子の径の大きさに依存すると考えることができる。舗装層１の各管は、粒子と粒子との間の間隙に相当する。舗装層１の各管の径は、粒子の粒子径と、粒子と粒子との接触の状態等とによって、決まると考えられる。ただし、粒子集合体である層の中で、十分多くの粒子数があらゆる接触状態で存在している。よって、粒子と粒子との接触状態は、管の径への影響は小さいと考えられる。したがって、舗装層１の各管の径は、粒子の径の大きさに依存すると考えることができる。
【００３４】
例えば、舗装層１が、砂又は礫を含む粒子の集合体で構成され、かつ、液体が水の場合、毛管（毛細管）の径は、粒子の径の大きさに依存する。
【００３５】
一例として、舗装層１は、０．３ｍｍ以下の粒子径を有する粒子の集合体で構成する。また、一例として、舗装層１は、０．００５ｍｍ以上の粒子径を有する粒子の集合体で構成する。
【００３６】
粒子とは、礫、砂、シルト、及び、粘土を含む。礫とは、２ｍｍより大きく７５ｍｍ以下の粒子径を有する粒子である。砂とは、０．０７５ｍｍより大きく２ｍｍ以下の粒子径を有する粒子である。シルトとは、０．００５ｍｍより大きく０．０７５ｍｍ以下の粒子径を有する粒子である。粘土とは、０．００５ｍｍ以下の粒子径を有する粒子である。
【００３７】
砂で構成された舗装層１は、シルト又は粘土で形成された舗装層１よりも、透水性が高い。一例として、舗装層１は、砂で構成される。
【００３８】
例えば、６ｃｍの厚みを有する舗装層は、０．００５ｍｍ以上でかつ０．３ｍｍ以下の粒子径を有する粒子で構成される。式１からわかるように、舗装層１の厚みが大きいほど、舗装層１を構成する粒子は大きくても良い。
【００３９】
具体的な実験例として、０．００５ｍｍ以上でかつ０．３ｍｍ以下の粒子を有する細砂で構成されており、かつ、６ｃｍの厚みを有する舗装層１の候補で、実際に、確認を行った。０．１ｍｍ以上でかつ０．４ｍｍ以下の粒子径を有する粒子で構成された豊浦砂を、飽和状態に水で満たし、その上に、舗装層１の候補材料を配置した。３０分経過後に、舗装層１の候補材料の上に、ティッシュペーパーを置く。すると、ティッシュペーパーが濡れているのを確認できた。よって、舗装層１の候補として、０．００５ｍｍ以上でかつ０．３ｍｍ以下の粒子を有する細砂で構成されており、かつ、６ｃｍの厚みを有する層は、舗装層１に適していると考えられる。
【００４０】
舗装層１は、保水層２に含まれる液体を舗装層１の第２面１ｂから第１面１ａに移動させることにより、第１の面１ａを湿潤状態に保つ。舗装層１の第１面１ａから液体が蒸発することにより、舗装層１の上部の温度低下、又は、舗装層１の上部の温度上昇を低減することができる。
【００４１】
＜保水層２＞
保水層２は、不透水層３の上面全てを覆い、かつ、舗装層１と不透水層３との間に形成されている。保水層２は、複数の粒子の集合体で構成されている。保水層２の材料は、例えば、親水性を有する粒子、又は、その表面に親水性を有する材料で覆われている粒子である。本明細書において、「親水性」とは、水と結合しやすい性質、又は、水と混ざりやすい性質を意味する。
【００４２】
親水性を有する粒子は、例えば、金属、又は、セラミックなどで構成する粒子である。また、親水性を有する粒子は、自然界にある土又は岩石などの材料で構成する粒子も含む。
【００４３】
保水層２を構成する粒子の表面を親水性を有する材料で覆われている粒子は、例えば、テフロン（ポリテトラフルオロエチレンの登録商標）又はキュプラなどの高分子材料で覆われた粒子のことである。
【００４４】
また、保水層２は、粒子と粒子との間に空隙を有する。保水層２は、粒子と粒子との間の空隙に液体を保持することができる。本明細書において、「液体を保持する」とは、所定の容量の液体を含んだ状態で維持できることを意味する。所定の容量は、例えば、保水層２を構成する材料の親水性、及び、保水層２が有する空隙の大きさに依存する。
【００４５】
なお、保水層２の材料は、親水性を有する粒子、又は、その表面に親水性を有する材料で覆われている粒子を少なくとも含んでいれば、後述する疎水性の粒子を含んでいても良い。一般的に、水を保水する集合体は、体積あたり０．１５ｇの水を保持することが求められる。すなわち、一般的に用いられる、水を保水する集合体は、１５％以上の含水率を有する。一例として、第１実施形態の保水層２も、１５％以上の含水率を有する。しかし、０．１５ｇ／ｃｍ３より小さい保水層２でも、後述する知見に基づく効果を必ず失うわけではない。
【００４６】
＜不透水層３＞
不透水層３は、保水層２の下に形成されている。不透水層３は、水を透さない又は水を透しにくい機能を有する。不透水層３の例は、一般に、以下のようなものが例示できる。シルト層若しくは粘土層などの０．０２ｍｍ以下の粒径を有する複数の粒子で構成されている層。水を通過させる通常の土壌若しくは骨材若しくはコンクリートの表面に、撥水シートなど水を透さない物体で覆った層（後述する図１０の変形例を参照）。撥水処理を行った砂など疎水性粒子で形成されている層。粘土若しくはシルトなど細粒土やそれらが固まった岩盤で構成される地層。ひび割れのないコンクリートでできた層。骨材若しくはコンクリートの表面を撥水コーティングした層。又は、砂若しくは礫の表面を撥水コーティングした撥水砂若しくは撥水礫で構成される地層。
【００４７】
前記の不透水層３の中で、撥水砂又は撥水礫を用いる場合は、他の材料で構成される不透水層の場合と比較して、以下のメリットがある。
【００４８】
撥水砂又は撥水礫は、現地土壌の砂又は礫を、その場で撥水コーティング処理することで製造できる。このことから、施工の際に、嵩の高い骨材又はコンクリート又はシートを持ち込まなくても、少量のコーティング剤（例えば、１ｇのコーティング剤で１ｋｇの砂を処理可能）のみを持ち込む事で、不透水層３が施工できる。また、現地に岩盤などが存在する環境でなくても、どこでも施工できる。また、骨材などの表面をコーティングする場合は、コーティングが磨耗したり剥げたりすると遮水性能を保てなくなるが、撥水砂又は撥水礫で一定の厚みの層を形成する場合には、一部が磨耗しても遮水効果が保てる。
【００４９】
このように一部が磨耗しても遮水効果が保てる理由は、以下の通りである。例えば、親水性の板又は壁に撥水コーティングをしただけの層では、薄いコーティング層がはげてしまうと、遮水性は無くなる。しかしながら、撥水砂の集合で層を形成する場合は、その一部が欠けても、一部が欠けた表面も、また撥水砂であるために、遮水性が保持されるからである。
【００５０】
疎水性粒子とは、表面が撥水処理されている粒子、又は、粒子自体が疎水性を有する粒子を含む。本明細書において、「撥水処理」とは、水を弾く性質を意味する。本明細書において、「疎水性」とは、水と結合しにくい性質、又は、水に溶けにくい性質を意味する。例えば、粒子の表面において、水滴の接触角が９０°以上である粒子を言う。疎水性を有する粒子は、例えば、疎水性を有する高分子材料である。表面が撥水処理されている粒子は、例えば、クロロシラン系材料、又は、アルコキシシラン系材料などで表面を撥水処理されている粒子である。クロロシラン系材料の例は、ペプタデカフルオロ−１，１，２，２−テトラハイドロデシルトリクロロシラン、又は、ノルマルオクタデシルジメチルクロロシランである。アルコキシシラン系材料の例は、ノルマルオクタデシルトリメトキシシラン、又は、ノナフルオロヘキシルトリエトキシシランである。
【００５１】
撥水処理されている粒子の材料は、例えば、土壌、又は、ガラスビーズである。土壌とは、無機物（一次鉱物）、コロイド状の無機物（粘土鉱物あるいは二次鉱物）、粗大有機物、又は、粗大有機物が微生物などの分解作用などによって変質して生じる有機物（腐植）などを含む。
【００５２】
＜排水孔部４＞
排水孔部４は、不透水層３の一部を貫通し、かつ、不透水層３の上面よりも上向きに突出して形成されている。排水孔部４の全周囲が、不透水層３内に位置する部分は不透水層３で覆われるとともに、不透水層３より上方に突出した部分は疎水性粒子の側壁部６で覆われている。排水孔部４自体は、例えば円柱形状などの棒状に構成されて撥水機能を有する層（部分）である。撥水機能を有する層の例は、複数の疎水性粒子で構成されている層である。
【００５３】
排水孔部４は、上面、下面、及び側面を有する。
【００５４】
排水孔部４の上面は、舗装層１の上面より低い位置にあり、かつ、不透水層３の上面より高い位置にある。詳しくは、排水孔部４の上面の位置は、不透水層３の上面以上（上面含む）であり、かつ、舗装層１の表面よりも５ｍｍ以上の下に設置する。ここで、５ｍｍは、建造物の「段差」の条件が５ｍｍ以上の差があること、という条件から設定している。よって、建造物の「段差」の条件が５ｍｍから変われば、舗装層１の表面よりも下である排水孔部４の上面の位置を５ｍｍから変えてもよい。より具体的には、図１では、排水孔部４の上面は、舗装層１の下面と同じ位置に配置されている。図２Ａでは、図１の変形例として、排水孔部４の上面は、舗装層１の厚さ方向の中間の位置に配置されている。図２Ｂでは、図１の別の変形例として、排水孔部４の上面は、保水層２の厚さ方向の中間の位置に配置されている。
【００５５】
排水孔部４の上面が保水層２の上面と同じか（図１参照）、又は、保水層２の上面より高い場合（図２Ａ参照）には、排水孔部４が決壊して水が排水孔部４から下に流れる状態になったとしても、排水孔部４の側壁部６と不透水層３に囲まれた部分の水は保持されるため、舗装層１が水に常時触れることになる。従って、舗装層１の表面から常に蒸発が起こり、舗装層１の冷却効果が高くなる。
【００５６】
排水孔部４の上面が高ければ高いほど、水面Ｗが高くなる可能性があるので、排水孔部４の上面が保水層２の上面と同じ場合（図１参照）よりも、保水層２の上面より高い場合（図２Ａ参照）の方が、舗装層１の冷却効果は高い。しかしながら、図２Ａの場合は、排水孔部４が設置された上面の舗装層１の厚みは、他の部分の厚みより薄くなっているので、わざわざ厚みの違う複数種類の舗装ブロックを作って施工する必要がある。これに対して、図１では、１種類の厚みのブロック１ｃのみで、舗装層１を施工できる手軽さがある。
【００５７】
一方、排水孔部４の上面が保水層２の上面より低い（図２Ｂ参照）場合は、水面Ｗが舗装層１に触れていないため、図２Ａ又は図１の場合に比べて蒸発しにくく、舗装層１の冷却効果は低下する。しかしながら、季節によって集中豪雨などが頻繁に起こり、過剰な雨水が供給されやすくなる環境においては、図２Ａ又は図１に示したように排水孔部４の上面から舗装層１の表面までの距離が短い場合、排水孔部４から水が下に流れてしまう速度より、水が供給される速度が大きく、本発明の第１実施形態の構成であったとしても、舗装層１の表面から水が溢れ出す危険がある。前記の気候条件を有する環境においては、図２Ｂのように、排水孔部４の上面の位置を保水層２の上面より下に設定しておく事で、例えば、雨量の少ない際には、なるべく保水層２に水を保ちながら、雨量の多い際にも水が舗装層１の表面から溢れにくくする事が可能になる。
【００５８】
なお、舗装層１を省略する場合には、排水孔部４の上面は、保水層２の上面よりも低い位置にある。
【００５９】
排水孔部４の下面の位置は、不透水層３の下に存在する現地土壌層５の上面と同じか又は現地土壌層５の上面より下にある。言い換えれば、排水孔部４の下面の位置は、不透水層３の下面と同じか、不透水層３の下面よりも下にある。排水孔４は、舗装層１又は保水層２から現地土壌層５までを貫通する形状を有する。なお、排水孔４の形状は、円錐又は四角柱に限られず、舗装層１又は保水層２から現地土壌層５までを貫通する形状であれば良い。
【００６０】
なお、貯水構造体１００の下に配置されている現地土壌層５は、液体が通過できる材料であれば良い。
【００６１】
排水孔部４の側面は、全て、不透水層３及び疎水性粒子で構成される側壁部６で覆われている。すなわち、排水孔部４と保水層２との間には、不透水層３又は疎水性粒子の側壁部６が位置することが望ましい。ただし、図２Ｂの排水孔部４の上面と保水層２との間には、不透水層３又は疎水性粒子は不要である。
【００６２】
側壁部６の厚さとしては、側壁部６をプラスチック又はコンクリートなどの土管で設置する際には、厚さは任意である。側壁部６を第１実施形態で示したように撥水砂で製造する場合には、側壁部６の厚さは５ｍｍ以上とする。これは、実験で、５ｍｍ厚の撥水砂層の遮水性が５ｃｍ厚の撥水砂と変わらなかったことを確認しているためである。
【００６３】
側壁部６の水浸入圧は、側壁部６を全て同じ材料で施工する場合は、不透水層３の水浸入圧と同じか、又は、それ以上であることが条件である。ただし、水が浸入する条件は、水面までの高さに依存するので、舗装層１の表面から距離が深い部分ほど、高い水浸入圧が条件となる。したがって、高さに合わせて、異なる水浸入圧を持つ材料で形成してもよい。たとえば、側壁部６を撥水砂で構成する場合には、深いところほど粒径の小さい撥水砂で形成して高い水浸入圧を確保し、浅いところは粒径の大きい撥水砂で相対的に水浸入圧が低くなるよう形成してもよい。
【００６４】
排水孔部４の水浸入圧は、不透水層３の水浸入圧より小さく構成している。  よって、例えば、排水孔部４の外側は、図１に示すように、排水孔部４とは異なる材料である不透水層３と同じ材料で覆われている。言い換えれば、側壁部６は、不透水層３と同じ材料で構成されている。排水孔部４自体は、全部又は一部に疎水性粒子を含む材料にて形成された疎水性粒子層であり、排水孔部４を形成する疎水性粒子層は、不透水層３の上面と排水孔部４の上面の高さの違い分以上に、不透水層３よりも水浸入圧が低いことを必須条件とする。
【００６５】
例えば、図１のように排水孔部４の上面が保水層２の上面と同じ高さであり、排水孔部４の下面が不透水層２の下面と同じ高さであり、保水層２の厚さがＹｃｍであるとすると、不透水層３の水浸入圧と、排水孔部４の水浸入圧との差は、Ｙｃｍ以上である必要がある。
【００６６】
例えば、粒子の大きさの違いが水浸入圧に影響する事を考慮して、不透水層３が粒径Ｘμｍの疎水性粒子で構成されている場合には、排水孔部４を形成する疎水性粒子は、Ｙｃｍ分だけ、水浸入圧が小さくなるように、不透水層３を構成する疎水性粒子の粒径に比べて大きい粒径で形成してもよい。あるいは、疎水性粒子のみで形成された層に比べて、疎水性粒子と親水性粒子とを混ぜて形成した層は、水浸入圧が低下する。このことを利用して、不透水層３を疎水性粒子で形成し、排水孔部４は、疎水性粒子と親水性粒子とを混ぜた混合粒子で形成することで、不透水層３と排水孔部４とに、Ｙｃｍ以上の水浸入圧差を保証しても良い。
【００６７】
排水孔部４は、保水層２に一定の貯水量を保ちながら、過多な水が供給された際には、舗装層１の表面から水が溢れ出すことを防止するために、余分な水を不透水層３より下の土壌層５に流す。そのため、排水孔部４の下面は、不透水層３の下面に設置され、あるいは、不透水層３の下面よりも下に設置されており、排水孔部４の上面の位置は、保水層２の下面よりも高く、かつ、舗装層１の上面よりも低い範囲に設定されているものである。水が溢れ出すことを防ぐためには、排水孔部４を形成する疎水性粒子の水浸入圧がＺｃｍであった場合、前記排水孔部４の上面の位置は、舗装層１の表面よりもＺｃｍ低い位置よりさらに下に設定する必要がある。
【００６８】
なお、図１に示す貯水構造体１００は、舗装層１を備えるが、舗装層１を省略することも可能である。
【００６９】
次に、前記の貯水構造体１００の構築方法を図３Ａから図３Ｆを用いて説明する。
貯水構造体１００は、例えば、現地の土壌層５の一部を除去して凹部５２を形成し、その除去した部分である凹部５２内に配置する。
【００７０】
例えば、図３Ａに示すように、現地土壌層５の一部を除去した凹部５２に、貯水構造体１００を配置する。例えば、歩道の一部の縦５ｍ×横５ｍの区間が、貯水構造体１００として施工する場合、まず、施工場所の縦５ｍ×横５ｍの敷地を深さ２１ｃｍだけ掘り返す。この深さは、不透水層３の厚さと保水層２の厚さと舗装層１の厚さとを合計した厚さに相当する。
【００７１】
例えば、不透水層３に疎水性粒子を用いる場合を記載する。具体的には、０．１ｍｍ以上でかつ０．４ｍｍ以下の粒子径を有する豊浦砂を撥水処理した撥水砂を不透水層３として使用すると、この豊浦砂撥水砂の水浸入圧は約２０ｃｍである。その際に、排水孔部４の水浸入圧は、２０ｃｍから保水層２の厚みを引いた高さより大きくなる材料で形成する必要がある。ここでは、撥水処理をした海砂と撥水処理をしていない海砂とを混ぜた混合砂を排水孔部４として用いる。
【００７２】
海砂は粒径が０．４２５ｍｍ以上でかつ０．８５ｍｍ以下の粒子径を有するもので、これを撥水処理した場合の水浸入圧は８ｃｍであった。図４に、海砂の混合砂の混合率と水浸入圧との関係を示す。撥水処理後の海砂に撥水処理していない海砂を混ぜた混合砂は、混合の割合を変えることで水浸入圧が変化する。図４では、撥水処理後と撥水処理前の砂を、体積比で１：５の割合で混合した場合、水浸入圧が５ｃｍとなった。第１実施形態における排水孔部４には、前記割合の混合砂を用いることとする。
【００７３】
現地土壌層５の凹部５２の底面５２ａ上に、まず、排水孔部４を構築する。掘り起こした現地土壌層５の凹部５２の底面５２ａ上に、図５に示すような貫通穴１０ａ，１１ａをそれぞれ有する直径の異なる２つの筒状の型１０、１１を重ねて配置する（図３Ａ参照）。内側の筒状の型１０は、排水孔部４を形成するためのものである。内側の筒状の型１０の外側に配置される外側の筒状の型１１は、側壁部６を形成するためのものである。筒状の型１０、１１として、例えば、直径１５ｃｍの排水孔部４を配置する場合には、小さい筒状型１０の直径は１５ｃｍとし、大きい方の筒状型１１の直径２０ｃｍとし、どちらも高さ１５ｃｍの円筒の筒とする。円筒の筒状型１０，１１の各厚さは、薄ければ薄いほど、型を抜いた後の隙間が薄くなるので好都合であり、例えば、折り曲げて円筒を形成できる薄さとして１ｍｍの厚さでも良い。排水孔部用の筒状型１０及び側壁部用の筒状型１１は、材質は問わないが、たとえばプラスチックで製造したものでもよい。
【００７４】
掘り起こした地面すなわち凹部５２の底面５２ａの上の、排水孔部４を形成すべき箇所に、筒状型１０を筒状型１１内に挿入した状態で置き、排水孔部４用として、筒状型１０の中に海砂の混合砂を筒の高さ１５ｃｍまで入れる。また、排水孔部用の型１０と側壁部用の型１１との隙間には、側壁部６用として、豊浦砂による撥水砂を同じく１５ｃｍ入れる（図３Ｂ参照）。
【００７５】
次いで、掘り起こした地面すなわち凹部５２の底面５２ａのうちの、排水孔部４用の型１０及び側壁部用の型１１を配置した部分以外の部分には、先の豊浦砂による撥水砂を、５ｃｍの高さまで配置して不透水層３を形成する（図３Ｃ参照）。
【００７６】
次いで、不透水層３の上面の全面に、排水孔部４用の筒状型１０及び側壁部用の型１１と同じ高さになるまで、保水層２を形成する。具体的には、たとえば、撥水処理する前の豊浦砂で、保水層２を形成しても良い。（図３Ｄ参照）。
【００７７】
次いで、不透水層３と保水層２とを形成した後、排水孔部４と不透水層３と保水層２との境界にある排水孔部４用の型１０と側壁部６用の型１１とをそれぞれ抜き取り（図３Ｅ参照）、保水層２の上面及び排水孔部４の上面の全面に、舗装層１を形成する（図３Ｆ参照）。例えば、舗装層１は、６ｃｍの厚みを有するブロック１ｃで形成するとする。各ブロック１ｃは、一例として、上面から底面まで貫通する微細な径を有する多数の管を有し、微細な径の管に存在する液体が、舗装下面から舗装上面の方向に、上昇する機能を有する。舗装層１は、保水層２に含まれる液体、又は、舗装層１の内部に含まれる液体を、舗装層１の表面に吸い上げ、舗装層１の表面に吸い上げられた液体は蒸発する。
【００７８】
次に、前記の貯水構造体１００に水が供給された場合の構造体１００の貯水の振る舞いについて、図６Ａから図６Ｆを用いて説明する。
【００７９】
集中豪雨又はゲリラ豪雨により、貯水構造体１００に雨水が供給される例を説明する。ここでは、貯水構造体１００が保持可能な容量を超える量の雨水が供給されることにより、排水孔部４から雨水を通過する例を説明する。図６Ａから図６Ｆは、時系列の変化を示している。
【００８０】
舗装層１に供給された雨水は、舗装層１を通過し、保水層２で保持される。さらに雨水が供給されると、保水層２が飽和し、舗装層１まで水面Ｗが上昇する（図６Ａ参照）。
【００８１】
水は不透水層３の水浸入圧あるいは排水孔部４の水浸入圧を超えるまで舗装層１に保持されるが、前記どちらかの水浸入圧を超えると、不透水層３又は排水孔部４が水を下に通す。前記貯水構造体１００の構築方法で述べた仕様であった場合、排水孔部４の水浸入圧は５ｃｍであり、不透水層３の水浸入圧は２０ｃｍであるので、水面が舗装層１の５ｃｍを超えたところで、先に排水孔部４が水圧に耐え切れず水１３を下に通す（図６Ｂ参照）。排水孔部４が水を通した後、舗装層１の５ｃｍの高さまで貯まっていた水は、排水孔部４を通って、排水孔部４の下の現地土壌層５に流れる。
【００８２】
現地土壌層５に水１３が流れることにより、供給された水との関係に依存して、舗装層１に水が貯まる速度が低下する。あるいは、水面Ｗが下がり始める。（図６Ｃ参照）。
【００８３】
水面Ｗが水浸入圧以下になっても、排水孔部４から連続して水１３が排水される場合、排水孔部４から下部への排水は止まらない。水面Ｗはさらに低下し、排水孔部４の上面に至るまで排水は継続する。図１の貯水構造体１００の場合は、排水孔部４の上面は保水層２の上面と同じ高さであるため、保水層２に水を保持したまま、排水孔部４からの水の流出は止まる（図６Ｄ参照）。
【００８４】
排水孔部４を流れる水１３が一旦止まっても、排水孔部４の中で水１３が流れた経路に相当する部分（以下、「水道」とも表記する）に水１３が残っている間は、再度、水が排水孔部４に供給されると水が通過しやすい状態になっている。つまり、この状態で舗装層１に水を供給しても、供給した舗装層１に貯水されず、排水孔部４より排出される可能性がある（図６Ｅ参照）。
【００８５】
しかしながら、排水孔部４の水道部分が乾燥すれば、排水孔部４は従来の水浸入圧を保持する状態となり、舗装層１に水を貯水する事が可能となる。保水層２に貯えられた水により、表面を湿潤に保ちながら、排水孔部４を構成する撥水砂層が乾くのを待って、再び貯水するしくみである。
【００８６】
排水孔部４が乾燥するに費やされる時間と、保水層２に表面に水を供給するに足る水量下限値に至る時間との関係で、前者が早ければ、水を再度供給する事で、表面は常に湿潤を保つ事となる。
【００８７】
排水孔部４の撥水砂が乾燥すると、従来の水浸入圧を保つことを、実験的に確認した。図７は、同じ撥水砂層に、水の供給と乾燥とを何度も繰り返した場合の水浸入圧の変化を示す図である。水の供給と乾燥とを繰り返した場合の、水の供給繰り返し回数と繰り返し後の水浸入圧との関係を示している。５０回経過した後の水浸入圧は、２回目以降の水浸入圧を保っている事がわかる。
【００８８】
したがって、図１に示した貯水構造体１００においても、決壊部分が乾燥すると、排水孔部４は、水を貯めることができる。（図６Ｆ参照）
図１に示した貯水構造体１００は、排水孔部４の上面は保水層２の上面と高さが同じ場合で説明をしている。しかしながら、本発明はこれに限られるものではなく、変形例にかかる貯水構造体１００Ａとして、排水孔部４の上面は図２Ａに示すように舗装層１の内部まで延ばしても良いし、さらに、別の変形例にかかる貯水構造体１００Ｂとして、図２Ｂに示すように保水層２の内部まで縮めても良い。
【００８９】
図２Ａのように、排水孔部４の上面が舗装層１の内部にまで延びている場合は、不透水層３から排水孔部４の上面までの間は、水が流出することがないため、保証される貯水量は多く、従って、舗装層１の表面に水を吸い上げやすい条件となり、舗装層１の表面は常に湿潤を保ちやすくなる。しかしながら、排水孔部４の水浸入圧を低く設計しておく必要があるため、供給水が少量の段階で水を通してしまうため、貯水速度が低下する可能性がある。反対に、図２Ｂに示した排水孔部４の上面を保水層２の内部にまで縮めた場合は、排水孔部４自身も一定水圧までは水を通さない遮水機能が保証されるため、排水孔部４の上面までは早く貯水することが可能である。しかしながら、過多な水が供給されて排水孔部４から水が流れてしまった後は、排水孔部４の上面が低いために、再び排水孔部４が乾燥するまで、舗装層１の表面に水を吸い上げにくくなる欠点もある。
【００９０】
よって、これらの貯水構造体１００，１００Ａ，１００Ｂの設計は、現地の降雨量又は日照のなどの気候条件、又は、貯水構造体１００，１００Ａ，１００Ｂを形成する材料条件（不透水層３と、保水層２と、舗装層１と、排水孔部４とを構成する材料の条件など）により、最適な貯水量を計算した上で、排水孔部４の上面位置を選択すればよい。
【００９１】
また、第１実施形態では、排水孔部４は、撥水処理後の砂と撥水処理前の砂とを混合した砂で構成されている例を述べたが、排水孔部４の上面の高さと不透水層３の上面の高さとの差分よりも、不透水層４の水浸入圧と排水孔部４の水浸入圧との差が大きいことを保証さえできれば、前記のような混合砂でなくてもよい。例えば、粒径が不透水層を形成する疎水性粒子よりも、粒径の大きい疎水性粒子で排水孔部４を形成しても良い。
【００９２】
第１実施形態の貯水構造体１００（貯水構造体１００Ａ，１００Ｂも同様。）によれば、疎水性粒子で構成された排水孔部４の上面を、保水層２の内部もしくは保水層２の上面もしくは舗装層１内部から不透水層３の下面に至る間に配置することで、供給された水が少量の場合は、保水層２さらに舗装層１に水を保持する事が可能であり、かつ、供給水が過多な場合には、排水孔部４から水を下に流すことにより、水が表層から溢れることを防止できる。よって、本貯水構造体１００，１００Ａ，１００Ｂは、供給される水量に応じて、効率良く安全に貯水が可能となる。
【００９３】
従って、第１実施形態の貯水構造体１００（貯水構造体１００Ａ，１００Ｂも同様。）は、一定以下の量の液体（例えば水）が供給された場合、保水層２と舗装層１とに液体を保持することにより、舗装層１の表面を湿潤状態に保つことが可能となる。一定以上の液体が供給された場合、排水孔部４が液体を下に通すため、過多な液体が供給されることにより、舗装層１の表面から他の部分に液体が溢れたり、貯水構造体１００の強度が落ちたりする問題を防ぐことができる。さらにこの場合でも、排水孔部４の上面より液面は下がらないため、一定量の液体は常に保持できる。
【００９４】
さらに、排水孔部４を設置することで、決壊場所を排水孔部４に意図的に指定することができる。これにより、決壊場所を乾燥させる場合、又は、雨量が想定よりも多い気候変動などで貯水量を調整する必要性が生じた場合などに、不透水層全体を乾燥させる手間も時間も必要はなく、排水孔部４のみを部分的に乾燥したり、排水孔部４を形成している撥水砂条件（たとえば粒子径、又は、撥水していない砂との混合率など）のみを変更することで、計画した量の水を簡易に貯水することが可能となる。
【００９５】
前記図２Ｂに示す貯水構造体１００Ｂのように、排水孔部４の上面は、保水層２の厚さ方向の中間の位置に配置されている場合の貯水構造体１００Ｂの構築方法について、図８Ａ〜図８Ｆを参照しつつ、以下に説明する。
【００９６】
図８Ａに示すように、まず、現地土壌層５の一部を掘り起こして縦５ｍ×横５ｍの土壌層５の凹部５２を形成する。そして、凹部５２の底面５２ａ上に、図３Ａと同様に排水孔部用の型１０及び側壁部用の型１１を置き、その中に、海砂の混合砂と撥水砂とをそれぞれ詰める。手順は、図３Ａと同じであるが、図５に示す排水孔部用型１０及び側壁部用の型１１はそれぞれ高さ１５ｃｍであったが、それぞれ、それらの高さよりも高い、例えば１７ｃｍの高さのものを使用している。
【００９７】
次に、底面５２ａのうちの、排水孔部４用の型１０及び側壁部用の型１１を配置した部分以外の部分には、不透水層３を、例えば３ｃｍの高さで形成する（図８Ｂ参照）。
【００９８】
次いで、不透水層３の上面の全面に、排水孔部４用の筒状型１０及び側壁部用の型１１と同じ高さになるまで、すなわち、排水孔部４の上面の高さまで、保水層２を形成する（図８Ｃ参照）。
【００９９】
次いで、排水孔部４用の型１０と側壁部６用の型１１とをそれぞれ抜き取る（図８Ｄ参照）。次いで、排水孔部４及び側壁部６の上及び先に形成された保水層２の上に、さらに例えば２ｃｍ分だけ、保水層２を形成する（図８Ｅ参照）。
【０１００】
次いで、その保水層２の上面の全面に舗装層１を形成する（図８Ｆ参照）。
【０１０１】
この結果、図２Ｂに示す貯水構造体１００Ｂを構築することができる。
【０１０２】
また、前記図２Ａに示す貯水構造体１００Ａのように、排水孔部４の上面は、舗装層１の厚さ方向の中間の位置に配置されている場合の貯水構造体１００Ａの構築方法について、図９Ａ〜図９Ｅを参照しつつ、以下に説明する。
【０１０３】
まず、予め、いくつかの高さ６ｃｍの舗装ブロック１ｃを半分の高さに切っておく。さらに、図９Ａに示すように、現地土壌層５の一部を掘り起こして縦５ｍ×横５ｍの土壌層５の凹部５２を形成する。そして、凹部５２の底面５２ａ上に、高さ１８ｃｍ、一辺２０ｃｍの四角形状の側壁部用型１１と、一辺１５ｃｍの排水孔部用型１０とを互いに重ねて配置し、図３Ａと同様に、海砂の混合砂と撥水砂とをそれぞれ入れて、排水孔部４及び側壁部６とを形成する（図９Ａ参照）。
【０１０４】
次いで、その周りに、すなわち、底面５２ａのうちの、排水孔部４用の型１０及び側壁部用の型１１を配置した部分以外の部分には、高さ５ｃｍの不透水層３と高さ１０ｃｍの保水層２とを順に形成する（図９Ｂ参照）。
【０１０５】
その後、排水孔部４の周りには、高さ６ｃｍの舗装ブロック１ｃを配置する（図９Ｃ参照）。
【０１０６】
配置後、排水孔部用型１０及び側壁部用型１１を抜き取る（図９Ｄ参照）。
【０１０７】
次いで、排水孔部４及び側壁部６の上に、舗装層１の表面の高さを合わせるように、半分の高さに切り取られたブロック１ｄを配置する（図９Ｅ参照）。この際の側壁部６を形成する撥水砂の水浸入圧は、２．５ｃｍ未満である事が望ましく、例えば、図４に示したように、通常砂と撥水砂とを１：３の割合で混合して、２ｃｍの水浸入圧にした材料を、排水孔部４として用いるとよい。
【０１０８】
この結果、図２Ａに示す貯水構造体１００Ａを構築することができる。
【０１０９】
また、前記実施形態のさらに別の変形例として、不透水層３を形成する代わりに、遮水シート２０を用いる貯水構造体１００Ｃの場合について図１０を参照しながら説明する。
【０１１０】
図１０では、現地土壌層５の上に、直接、遮水シート２０を、貯水構造体１００の構築すべき箇所の全面に配置している。排水孔部４及び側壁部６の下端は、それぞれ、遮水シート２０を貫通しているが、少なくとも、排水孔部４の下端が遮水シート２０を貫通しておればよい。
【０１１１】
このような構成にすれば、貯水構造体１００の全体の厚さを小さくすることができ、かつ、不透水層３を形成する手間が省略できる。
【０１１２】
また、貯水構造体１００は、図３Ｆなどに示すように、例えば、現地土壌層５に周囲を囲まれた状態で配置されているが、これに限られるものではなく、図１１に実線及び図１に一点鎖線に示すように、貯水構造体１００の全ての側面を枠６２で囲むようにしても良い。なお、図１１は、舗装層１を取り除いた状態での平面図である。
【０１１３】
枠６２は、現地土壌層５で構成してもよいし、代わりに、現地土壌層５以外の材料、例えば木材などで構成してもよい。すなわち、貯水構造体１００の側面に形成されている現地土壌層５又は枠６２は、液体又は気体が通過できる物質でも、液体又は気体が通過できない物質でも良い。少なくとも貯水構造体１００の底面及び側面の一部を囲う物質があれば良い。
【０１１４】
また、枠６２から液体が漏れないよう、保水層２及び不透水層３と、枠６２との隙間に、撥水砂を詰めて外枠用不透水層６１とし、貯水された水が枠６２から外に漏れないようにしてもよい。この隙間に撥水砂を詰めて外枠用不透水層６１を形成する際には、撥水砂を袋に詰め、撥水砂が詰まった袋を隙間に詰めてもよい。このようにすることで、撥水砂がブロックの隙間から漏れず、施工が簡素になる利点がある。ただし、撥水砂を隙間に詰めた場合でも、撥水砂を詰めない場合でも、貯水構造体１００の効果は同様に得られる。
【０１１５】
なお、本発明を第１実施形態及び変形例に基づいて説明してきたが、本発明は、前記の第１実施形態及び変形例に限定されないのはもちろんである。以下のような場合も本発明に含まれる。
【０１１６】
なお、前記様々な実施形態又は変形例のうちの任意の実施形態又は変形例を適宜組み合わせることにより、それぞれの有する効果を奏するようにすることができる。
【産業上の利用可能性】
【０１１７】
本発明にかかる貯水構造体は、貯留された水を効率良く利用して表面を冷却し、かつ、供給された水が多い場合に、水を溢れることを低減して、適度に排水を行うことを、両立して行うことが可能なすぐれた効果を有し、ヒートアイランド現象の抑制を目的に、道路、歩道、又はビルの屋上の地表温度を抑制する機能を有する舗装構造等として有用である。
【符号の説明】
【０１１８】
１    舗装層
１ａ    第１の面
１ｂ    第２の面
１ｃ    ブロック
２    保水層
３    不透水層
４    排水孔部
５    土壌層
６    側壁部
１０    排水孔部用筒状型
１０ａ    貫通穴
１１    側壁部用筒状型
１１ａ    貫通穴
１３    水
２０    撥水シート
５２    凹部
５２ａ    底面
６１    外枠用不透水層
６２    枠
１００，１００Ａ，１００Ｂ，１００Ｃ    貯水構造体
【図１】
2014152469.tif 000003
【図２Ａ】
2014152469.tif 000004
【図２Ｂ】
2014152469.tif 000005
【図３Ａ】
2014152469.tif 000006
【図３Ｂ】
2014152469.tif 000007
【図３Ｃ】
2014152469.tif 000008
【図３Ｄ】
2014152469.tif 000009
【図３Ｅ】
2014152469.tif 000010
【図３Ｆ】
2014152469.tif 000011
【図４】
2014152469.tif 000012
【図５】
2014152469.tif 000013
【図６Ａ】
2014152469.tif 000014
【図６Ｂ】
2014152469.tif 000015
【図６Ｃ】
2014152469.tif 000016
【図６Ｄ】
2014152469.tif 000017
【図６Ｅ】
2014152469.tif 000018
【図６Ｆ】
2014152469.tif 000019
【図７】
2014152469.tif 000020
【図８Ａ】
2014152469.tif 000021
【図８Ｂ】
2014152469.tif 000022
【図８Ｃ】
2014152469.tif 000023
【図８Ｄ】
2014152469.tif 000024
【図８Ｅ】
2014152469.tif 000025
【図８Ｆ】
2014152469.tif 000026
【図９Ａ】
2014152469.tif 000027
【図９Ｂ】
2014152469.tif 000028
【図９Ｃ】
2014152469.tif 000029
【図９Ｄ】
2014152469.tif 000030
【図９Ｅ】
2014152469.tif 000031
【図１０】
2014152469.tif 000032
【図１１】
2014152469.tif 000033
【図１２】
2014152469.tif 000034